(57)【要約】【課題】建物の壁や天井に設置可能であり、見栄えの低下を低減することができる照明構造を提供する。【解決手段】長尺形状を有し長手方向一端部で受光した光を長手方向に直交する方向に出射する導光ブロック１と、この導光ブロック１とは別体であって前記導光ブロック１の一端部に対向して配置される光源７０とを備え、導光ブロック１及び光源７０は、互いに離間しその離間距離を広狭自在に建物の壁８０又は天井９０に取着され、導光ブロック１と光源７０との間の空隙部３０はキャップ４０で覆われており、空隙部３０には光源７０からの光を集光して導光ブロック１に照射するレンズ５０が配設されている。【選択図】図１
2013004464.tif 000002
【特許請求の範囲】
【請求項１】
長尺形状を有し長手方向一端部で受光した光を長手方向に直交する方向に出射する導光ブロックと、この導光ブロックとは別体であって前記導光ブロックの前記一端部に対向して配置される光源とを備え、前記導光ブロック及び前記光源は、互いに離間しその離間距離を広狭自在に建物の壁又は天井に取着され、前記導光ブロックと前記光源との間の空隙部はキャップで覆われており、前記空隙部には前記光源からの光を集光して前記導光ブロックに照射するレンズが配設されていることを特徴とする照明構造。
【請求項２】
前記キャップは、前記空隙部側に光反射部が形成されていることを特徴とする請求項１に記載の照明構造。
【請求項３】
前記導光ブロックは、前記壁又は前記天井に取着される固定部材と、この固定部材に取着される、前記光源からの光を受光して出射する導光材とを有し、前記固定部材と前記導光材との間には前記導光材側からの光を反射させる反射部が設けられていることを特徴とする請求項１又は２に記載の照明構造。
【請求項４】
前記固定部材は、前記壁又は前記天井に固定具で取着される固定片と、その両側端部に形成され互いに対向する一対の支持片とから断面視略コ字状に形成され、各支持片の先端部には係止部が設けられており、前記導光材は、前記支持片の前記係止部に嵌合する係合部が両側端部に設けられていることを特徴とする請求項３に記載の照明構造。
【請求項５】
前記導光材の外側に表面保護部が設けられていることを特徴とする請求項３又は４に記載の照明構造。
【発明の詳細な説明】
【技術分野】
【０００１】
本発明は、建物の壁又は天井の照明構造に関する。
【背景技術】
【０００２】
従来、側端面から内部に導入された光源の光を前面から照射する導光材を備えたエッジライト式の照明装置が知られている。例えば、特許文献１で提案されている照明装置は、導光材の前面と後面とを非平行面に形成しているため、大型化を招かずに簡単な構成で照射方向を規定することができる。
【先行技術文献】
【特許文献】
【０００３】
【特許文献１】特開２００９−２０５８８１号公報
【発明の概要】
【発明が解決しようとする課題】
【０００４】
エッジライト式の照明装置を建物の室内灯や間接照明などとして利用する場合、光源から導光材への光の照射方向に沿って照明装置を連続して建物の天井に複数並べて設置することが考えられる。ここで、各照明装置を天井の一方の端部から順次設置する場合、建物の部屋の大きさによっては天井の他方の端部まで照明装置を設置できないことがある。この場合、天井に設置した照明装置と天井の他方の端部側の壁面との間に隙間が生じることになるが、この隙間が無視できない程度の大きさであれば、外観が損なわれるなど見栄えの低下が懸念される。天井の一方の端部及び他方の端部からそれぞれ各照明装置を順次設置する場合でも、建物の部屋の大きさによっては、中央付近において隙間が生じ、この隙間が無視できない程度の大きさである場合には見栄えの低下が懸念される。
【０００５】
本発明は、以上のとおりの事情に鑑みてなされたものであり、建物の壁や天井に設置可能であり、見栄えの低下を低減することができる照明構造を提供することを課題としている。
【課題を解決するための手段】
【０００６】
上記の課題を解決するために、本発明の照明構造は、長尺形状を有し長手方向一端部で受光した光を長手方向に直交する方向に出射する導光ブロックと、この導光ブロックとは別体であって導光ブロックの一端部に対向して配置される光源とを備え、導光ブロック及び光源は、互いに離間しその離間距離を広狭自在に建物の壁又は天井に取着され、導光ブロックと光源との間の空隙部はキャップで覆われており、空隙部には光源からの光を集光して導光ブロックに照射するレンズが配設されていることを特徴とする。
この照明構造においては、キャップは、空隙部側に光反射部が形成されていることが好ましい。
【０００７】
この照明構造においては、導光ブロックは、壁又は天井に取着される固定部材と、この固定部材に取着される、光源からの光を受光して出射する導光材とを有し、固定部材と導光材との間には導光材側からの光を反射させる反射部が設けられていることが好ましい。
【０００８】
この照明構造においては、固定部材は、壁又は天井に固定具で取着される固定片と、その両側端部に形成され互いに対向する一対の支持片とから断面視略コ字状に形成され、各支持片の先端部には係止部が設けられており、導光材は、支持片の係止部に嵌合する係合部が両側端部に設けられていることが好ましい。
この照明構造においては、導光材の外側に表面保護部が設けられていることが好ましい。
【発明の効果】
【０００９】
本発明の照明構造によれば、建物の壁や天井に設置可能であり、見栄えの低下を低減することができる。
【図面の簡単な説明】
【００１０】
【図１】本発明の照明構造の一実施形態を示す断面図である。
【図２】本発明の照明構造の一実施形態を示す斜視図である。
【図３】本発明の照明構造に用いられる照明ユニットの一実施形態を示す分解斜視図である。
【図４】図１の照明構造のＡ−Ａ線断面図である。
【図５】本発明の照明構造に用いられる導光ブロックの一実施形態を示す分解斜視図である。
【図６】導光ブロックにおける導光材の光拡散面を説明するための模式図である。
【図７】本発明の照明構造の適用例を示す模式図である。
【図８】（ａ）（ｂ）（ｃ）はそれぞれ、導光ブロック照明及びユニットの数、配置を変えて設置した場合の照明構造を示す模式図である。
【図９】（ａ）（ｂ）はそれぞれ、図８（ｂ）（ｃ）の照明構造に用いられた照明ユニットの断面図である。
【図１０】（ａ）（ｂ）はそれぞれ、レンズの別の実施形態を示す断面図である。
【図１１】導光ブロックの導光材の別の実施形態を示す断面図である。
【発明を実施するための形態】
【００１１】
以下、図面を参照して本発明の実施形態を説明する。
【００１２】
図１は、本発明の照明構造の一実施形態を示す断面図であり、図２は、本発明の照明構造の一実施形態を示す斜視図である。図３は、本発明の照明構造に用いられる照明ユニットの一実施形態を示す分解斜視図である。図４は、図１の照明構造のＡ−Ａ線断面図である。図５は、本発明の照明構造に用いられる導光ブロックの一実施形態を示す分解斜視図である。図６は、導光ブロックにおける導光材の光拡散面を説明するための模式図である。
【００１３】
本実施形態の照明構造は、長尺形状を有し長手方向一端部で受光した光を長手方向に直交する方向に出射する導光ブロック１と、この導光ブロック１の一端部に対向して配置される光源７０としての照明ユニット２０とを備えている。
【００１４】
導光ブロック１及び照明ユニット２０はそれぞれ別ユニットであり、個別に建物の壁８０又は天井９０に施工することが可能となっている。例えば、図１−２に示されるように、照明ユニット２０は、建物の壁面８１の天井９０側の端部に取り付けられている。一方、導光ブロック１は、長手方向他端部が照明ユニット２０が取り付けられる壁面８１とは反対側に位置する壁面８２に当接するように、天井面９１に取り付けられている。導光ブロック１及び照明ユニット２０は互いに離間しており、空隙部３０が形成されている。
【００１５】
導光ブロック１及び照明ユニット２０は、導光ブロック１と照明ユニット２０との間の離間距離を広狭自在にして壁８０又は天井９０に施工可能である。例えば、導光ブロック１と照明ユニット２０との間の離間距離を狭めて、照明ユニット２０と壁面８１との間や導光ブロック１の長手方向他端部と壁面８２との間に見栄えを損なわない範囲で隙間を設けることもできる。また、部屋の大きさに応じて、導光ブロック１と照明ユニット２０との間の離間距離を拡げたり狭めたりして施工することもできる。このように本実施形態の照明構造は、導光ブロック１及び照明ユニット２０の配置を一定の範囲内で自由に設定できるなど施工の自由度が高い。また、導光ブロック１と照明ユニット２０との間の空隙部３０は、導光ブロック１や照明ユニット２０の施工ばらつきを吸収することができる。
【００１６】
キャップ４０は、導光ブロック１と照明ユニット２０との間に形成される空隙部３０を覆うものであり、導光ブロック１と照明ユニット２０を跨ぐように取り付けられている。キャップ４０が取り付けられていることによって、導光ブロック１と照明ユニット２０との間の空隙部３０が室内側から視認されず、見栄えの低下を低減することができる。
【００１７】
このキャップ４０は、合成樹脂などの部材で構成されている。空隙部３０側には、光反射部４１が形成されていてもよい。この光反射部４１は、例えば、キャップ４０の内側面（空隙部３０側の面）に、鏡面仕上げ、白色仕上げ、銀蒸着などの処理によって形成される光反射パターンであり、照明ユニット２０からの光を効果的に反射させることが可能である。このため、導光ブロック１と照明ユニット２０との間の離間距離が大きい場合でも導光ブロック１への入光効率の低下を抑制することができる。また、空隙部３０からの光のモレを防止することができる。
【００１８】
導光ブロック１と照明ユニット２０との間の空隙部３０には、照明ユニット２０からの光を集光して導光ブロック１に照射するレンズ５０が配設されている。このレンズ５０は、照明ユニット２０から離れて配設されている導光ブロック１に対する照明ユニット２０からの光の入光効率の低下を抑制するものである。本実施形態のレンズ５０は、後述する照明ユニット２０のカバー２４に集光機能が付与されたものであって、カバー２４と一体に形成されている。レンズ５０は、照明ユニット２０のカバー２４とは別部材として設けることもできる。
【００１９】
本実施形態のレンズ５０は、図１に示されるように、照明ユニット２０側に断面視略円弧状の凸曲面５１が形成されており、反対側には平坦面５２が形成されている。この凸曲面５１によって照明ユニット２０からの光が効率よく集光されるため、平坦面５２から外部に出射する光量を増加させることができる。したがって、導光ブロック１と照明ユニット２０との間の離間距離が大きい場合でも導光ブロック１への入光効率の低下を効果的に抑制することができる。
【００２０】
本実施形態の照明ユニット２０は、ＬＥＤなどの発光体２１と、この発光体２１を搭載する基板２２と、この基板２２を収納する照明ケース２３と、発光体２１や基板２２を保護するカバー２４とを有している。照明ケース２３は、例えば、合成樹脂製又は金属製などの剛性部材で構成され、カバー２４は、合成樹脂やガラスなどの透光性を有する部材で構成される。
【００２１】
本実施形態の照明ケース２３は、図３に示されるように、矩形状の底壁２６とこの底壁２６の外周四辺から立ち上がる矩形状の周側壁２５で構成され、底壁２６の対向面は開口２７を有している。発光体２１を搭載した基板２２は、照明ケース２３の開口２７側に発光体２１が配置されるように照明ケース２３の底壁２６に配設され、開口２７には、カバー２４が配設される。照明ケース２３に収納された基板２２の発光体２１からの光はカバー２４を通して外部に照射される。
【００２２】
上述したように、本実施形態のカバー２４には集光機能が付与され、レンズ５０とカバー２４とが一体に形成されている。レンズ５０が別部材として設けられている場合には、カバー２４を配設しないで照明ユニット２０を構成することもできる。
【００２３】
照明ユニット２０の壁８０への取り付けにあたっては、例えば、まず照明ケース２３の底壁２６を壁面８１に当接させ、その状態で釘、ビスなどの固定具を周側壁２５側から底壁２６に打ち込む。固定具の打ち込みによって照明ケース２３を壁８０に固定した後、照明ケース２３の内部に発光体２１を搭載した基板２２を収納し、カバー２４を開口２７に取り付ける。以上の手順を経て、照明ユニット２０を壁８０に取り付けることができる。照明ケース２３に発光体２１を搭載した基板２２及びカバー２４を装着した状態で固定具などによって壁８０に取り付けることもできる。
【００２４】
本実施形態の導光ブロック１は、天井面９１に固定される長尺な固定部材２と、この固定部材２に取り付けられる長尺な導光材１０とを有している。
【００２５】
固定部材２は、図４−５に示されるように、釘、ビスなどの固定具７で固定される平板状の固定片３と、その短手方向両側端部において垂下し互いに対向する一対の平板状の支持片４とから断面視略コ字状に形成され、合成樹脂などの剛性部材で構成されている。固定片３には、表裏に貫通した挿通穴６が短手方向略中央の位置において長手方向に沿って所定の間隔で設けられている。各支持片４の先端部には、外方に突出する係止部５が長手方向に沿って所定の間隔で形成されている。
【００２６】
導光材１０は、透光性を有し屈折率の高いアクリル樹脂やポリカーボネート樹脂などの合成樹脂で構成され、例えば押出工法により形成される。ガラスなどの部材で構成することもできる。
【００２７】
この導光材１０は、平板状に形成されており、照明ユニット２０からの光を長手方向一端面１１で受光し、受光した光を長手方向に直交する方向に出射する。本実施形態の導光材１０は、長手方向に沿って発光面１２が形成されており、発光面１２の反対側の面には光拡散面１３が形成されている。長手方向一端面１１で受光した光は光拡散面１３で拡散し、発光面１２から拡散した光が出射される。
【００２８】
光拡散面１３は、例えば、図６に示されるように、長手方向に直交する方向に溝加工が施された面である。図６では、導光材１０の発光面１２に、長手方向に直交する断面Ｖ字状の溝条１４が長手方向全長にわたって複数列形成されており、照明ユニット２０から遠ざかる方向に進むにつれて溝条１４の溝深さが深くなっている。このように照明ユニット２０から遠くなるほど溝条１４の溝深さを深くすることで、受光した光の繰り返し反射による光減衰を抑えることができる。また、隣り合う溝条１４の間隔を照明ユニット２０から遠ざかる方向に進むにつれて疎から密にすることによっても光減衰を抑えることができる。光拡散面１３の別の実施形態としては、例えば、反射シートを貼着したり反射性の物質を蒸着したり白色や銀色などに印刷したりすることによって形成された面などが挙げられる。このような光拡散面１３であっても、光減衰を抑えることができる。また、この効果を高めるために、光拡散面１３は、照明ユニット２０から遠ざかる方向に進むにつれて発光面１２に漸近する傾斜面を有していてもよい。
【００２９】
導光材１０には、その短手方向両側端部において発光面１２に対してほぼ垂直に立ち上がり互いに対向する一対の起立部１６が発効面１２とは反対側に長手方向に沿って連続して形成されている。各起立部１６の先端部には、内方に突出する爪部１７が長手方向に沿って連続して形成されている。係合部１５は、この起立部１６と爪部１７とから形成されており、固定部材２の支持片４の係止部５に爪部１７を引っ掛けることで、係合部１５が係止部５と嵌合し、導光材１０が固定部材２に取り付けられる。
【００３０】
本実施形態の導光ブロック１は、さらに、固定部材２と導光材１０との間に反射部６０が別体として設けられている。この反射部６０は、合成樹脂などの部材で構成され、導光材１０側の面に、鏡面仕上げ、白色仕上げ、銀蒸着などの処理によって光反射パターンが形成されている。反射部６０は、導光材１０側からの光を効果的に反射させることが可能である。このため、発光面１２からの発光効率を向上させることができる。また、固定具７などが室内側から視認されにくくなり、見栄えの低下をさらに低減できるという効果も有する。このような反射部６０は、固定部材２や導光材１０と一体に形成されていてもよい。
【００３１】
導光ブロック１の天井９０への取り付けにあたっては、例えば、まず固定部材２の固定片３を天井面９１に当接させ、固定片３の挿通穴６に固定具７を支持片４側から差し込んで打ち込む。固定具７の打ち込みによって固定部材２を天井に固定した後、反射部６０を接着剤などで装着した導光材１０を固定部材２の下側に配置する。次いで、導光材１０の係合部１５を固定部材２の支持片４に押しつける。そうすると、固定部材２の支持片４が内側に撓み、また導光材１０の係合部１５の起立部１６が外側に撓む。導光材１０の係合部１５をさらに固定部材２の支持片４に押しつけると、係合部１５の爪部１７が支持片４の係止部５に引っ掛かって導光材１０の係合部１５と固定部材２の係止部５とが嵌合し、導光材１０を固定部材２に容易に取り付けることができる。
【００３２】
固定部材２から導光材１０を取り外したいときは、固定部材２の一対の支持片４をそれぞれ内側方向に押圧する。そうすることで導光材１０の係合部１５の爪部１７が支持片４の係止部５から外れ、その状態で導光材１０を下側に移動させることで固定部材２から導光材１０を容易に取り外すことができる。
【００３３】
このように本実施形態の導光ブロック１は、導光材１０をワンタッチで固定部材２に取り付けたり、取り外したりすることができるなど施工性やメンテナンス性に優れる。
【００３４】
本実施形態の照明構造は、部屋の大きさに応じて、導光ブロック１と照明ユニット２０との間の離間距離を変えて、導光ブロック１と照明ユニット２０とをそれぞれ別々に壁８０や天井９０に取り付けることができるなど施工の自由度が高い。導光ブロック１と照明ユニット２０との間の空隙部３０は、導光ブロック１や照明ユニット２０の施工ばらつきを吸収することもできる。その空隙部３０にはレンズ５０が配設されているので、導光ブロック１と照明ユニット２０とが離間して設置されることによる照明ユニット２０からの光の導光ブロック１に対する入光効率の低下を少なくすることができる。さらに、空隙部３０を覆うキャップ４０が設けられているので、この空隙部３０が室内側から視認されず、見栄えの低下を低減することができる。導光ブロック１は、照明ユニット２０のように電気部を有しないので、薄型の設計が可能となり、意匠性を高めることができる。
【００３５】
以上、実施形態に基づき本発明を説明したが、本発明は上記の実施形態に何ら限定されるものではなく、その要旨を逸脱しない範囲内において各種の変更が可能である。例えば、図７に示されるように、上記した照明構造の実施形態である天井照明３１をはじめ、建材パネル３２間の目地照明３３、コーナー照明３４、廻し縁照明３５、幅木照明３６など室内灯や間接照明として本発明の照明構造を適用することができる。目的とする態様に応じて、照明ユニット及び導光ブロックを離間して壁８０又は天井９０に取り付け、空隙部を覆うようにキャップを取り付け、そして空隙部にレンズを配設すればよい。
【００３６】
図８は、上記した実施形態とは異なる数、配置で導光ブロック及び照明ユニットを設置した場合の照明構造を示す模式図であり、レンズ及びキャップを省略している。なお、図１−７に示した実施形態と同じ部分には同一の符号を付し、その説明を省略する。
【００３７】
上記した実施形態では、一方向に光を照射する発光体２１を備えた一つの照明ユニット２０が、一つの導光ブロック１の長手方向一端部に対向して配置されている。
一方、図８（ａ）では、一つの導光ブロック１の長手方向両端部それぞれにおいて、二つの照明ユニット２０が対向して配置されている。
【００３８】
図８（ｂ）は、二方向に光を照射する発光体を備えた一つの照明ユニット２８と、二つの導光ブロック１が用いられている。この実施形態では、二つの導光ブロック１の長手方向一端部がそれぞれ一つの照明ユニット２８に対向するように、照明ユニット２８の両側に導光ブロック１が配置されている。
【００３９】
図８（ｃ）は、四方向に光を照射する発光体を備えた一つの照明ユニット２９と、四つの導光ブロック１が用いられている。この実施形態では、四つの導光ブロック１の長手方向一端部がそれぞれ一つの照明ユニット２９に対向するように、照明ユニット２９を中心に各導光ブロック１が配置され、十字型に形成されている。
このように本発明の照明構造においては、導光ブロック１及び照明ユニット２０、２８、２９の数、配置などは特に制限されるものではなく、所望の照明形態に応じて適宜変更することができる。
【００４０】
図９（ａ）は、図８（ｂ）の照明構造に用いられた照明ユニットの断面図であり、図９（ｂ）は、図８（ｃ）の照明構造に用いられた照明ユニットの断面図である。図１−７に示した実施形態と同じ部分には同一の符号を付し、その説明を省略する。
【００４１】
図９（ａ）の照明ユニット２８において、照明ケース３７は、図３に示される照明ケース２３において底壁２６に対応する部分に開口２７を有しており、角筒形状を有している。また、発光体２１を搭載した基板２２を二つ有しており、各基板２２は、照明ケース３７の各開口２７側に発光体２１が配置されるように照明ケース３７内に収納されている。各開口２７には、カバー２４が配設されている。本実施形態では、照明ケース３７内の基板２２の発光体２１からの光が一方の開口２７からカバー２４を通して外部に照射されるとともに、別の基板２２の発光体２１からの光が別の開口２７からカバー２４を通して外部に照射されるなど二方向に光が照射される。
【００４２】
図９（ｂ）の照明ユニット２９において、照明ケースは、図９（ａ）に示される照明ケース３７において対向する一対の周側壁２５に対応する部分に開口２７を有している。また、発光体２１を搭載した基板２２を四つ有しており、各基板２２は、照明ケースの各開口２７側に発光体２１が配置されるように照明ケース内に収納されている。各開口２７には、カバー２４が配設されている。本実施形態では、照明ケース内の各基板２２の発光体２１からの光が各開口２７からカバー２４を通して外部に照射され、四方向に光が照射される。
【００４３】
このように本発明の照明構造においては、一方向に光を照射する発光体を備えた照明ユニット以外に、二方向あるいは四方向に光を照射する発光体を備えた照明ユニットも用いることができる。もちろん、三方向に光を照射する発光体を備えた照明ユニットも用いることができる。これら照明ユニットは、所望の照明形態に応じて適宜選択される。
【００４４】
図１０（ａ）（ｂ）はそれぞれ、空隙部に配設されるレンズの別の実施形態を示す断面図である。図１−７に示した実施形態と同じ部分には同一の符号を付し、その説明を省略する。
【００４５】
図１０（ａ）のレンズ５５は、照明ユニット２０側に断面視略円弧状の凸曲面５１が形成されており、反対側にも断面視略円弧状の凸曲面５１が形成されている。これら両側の凸曲面５１によって照明ユニット２０からの光が効率よく集光されるため、外部に出射する光量をより増加させることができる。したがって、導光ブロックと照明ユニット２０との間の離間距離が大きい場合でも導光ブロックへの入光効率の低下をより効果的に抑制することができる。
【００４６】
図１０（ｂ）のレンズ５６は、照明ユニット２０側に断面視略円弧状の凸曲面５１が形成され、この凸曲面５１の中心部分に凹部５３が形成されている。この凹部５３は、その内部に照明ユニット２０の発光体２１が配置可能とされている。また、凹部５３の内部に配置される発光体２１の対向面に断面視略円弧状の凸曲面５１が形成されている。反対側には平坦面５２が形成されている。このように本実施形態のレンズ５６は発光体２１を覆う形状を有しており、照明ユニット２０からの光をより効率よく集光することができる。したがって、導光ブロックと照明ユニット２０との間の離間距離が大きい場合でも導光ブロックへの入光効率の低下をより効果的に抑制することができる。
【００４７】
図１１は、導光ブロックの導光材の別の実施形態を示す断面図である。図１−７に示した実施形態と同じ部分には同一の符号を付し、その説明を省略する。
この実施形態の導光材１０は、外側に表面保護部１８が設けられている。この表面保護部１８は、透光性を有し導光材１０とは異なる屈折率を有する合成樹脂などの部材で構成されている。また、導光材１０の外側面に対応する形状を有し、導光材１０と一体に形成されている。このような表面保護部１８が導光材１０の外側に設けられていることにより、導光材１０の発光面１２に汚れが付着することが妨げられる。したがって、発光面１２から出射される光は、汚れによる光の拡散が抑えられ、均一な発光を実現することができる。この表面保護部１８は、導光材１０とは別部材として、例えば保護カバーとして導光材１０の外側に設けることもできる。
【符号の説明】
【００４８】
１  導光ブロック
２  固定部材
３  固定片
４  支持片
５  係止部
１０  導光材
１５  係合部
１８  表面保護部
２０  照明ユニット
３０  空隙部
４０  キャップ
４１  光反射部
５０  レンズ
６０  反射部
７０  光源
８０  壁
９０  天井
【図１】
2013004464.tif 000003
【図２】
2013004464.tif 000004
【図３】
2013004464.tif 000005
【図４】
2013004464.tif 000006
【図５】
2013004464.tif 000007
【図６】
2013004464.tif 000008
【図７】
2013004464.tif 000009
【図８】
2013004464.tif 000010
【図９】
2013004464.tif 000011
【図１０】
2013004464.tif 000012
【図１１】
2013004464.tif 000013